(57)【要約】【課題】  ペットの生体データを利用した身体状態の把握ができ、生体状態に応じて濃縮酸素が供給できるペット看護装置の提供。【解決手段】  本発明のペット看護装置は、ペット用に室内に設置したトレイ状のエアマットと、エアマットに設けられた生体情報検出手段と、ペットに装着された温度測定部を有するＩＣタグと、ＩＣタグの情報を読取る読取り部とを備え、生体データとＩＣタグの温度情報に基づきペットの状態を監視する監視装置と、濃縮酸素供給手段とからなることを特徴とする。【選択図】  図１
2007312720.tif 000002
【特許請求の範囲】
【請求項１】
ペット用に室内に設置したトレイ状のエアマットと、前記エアマットに設けられた生体情報検出手段と、ペットに装着された温度測定部を有するＩＣタグと、前記ＩＣタグの情報を読取る読取り部とを備え、前記生体データと前記ＩＣタグの温度情報に基づき前記ペットの状態を監視する監視装置と、濃縮酸素供給手段とからなることを特徴とするペット看護装置。
【請求項２】
ペット用に室内に設置したトレイ状のエアマットと、前記エアマットに設けられた生体情報検出手段と、ペットに装着された温度測定部を有するＩＣタグと、前記ＩＣタグの情報を読取る読取り部とを備え、前記生体データと前記ＩＣタグの温度情報に基づき前記ペットの状態を監視する監視装置と、濃縮酸素供給手段とからなることを特徴とするペット看護装置であって、
前記生体情報検出手段で検出された生体情報に基づき、濃縮酸素供給手段による濃縮酸素の流量及び／または濃縮酸素濃度を調整すること を特徴とするペット看護装置。
【請求項３】
ペット用に室内に設置したトレイ状のエアマットと、前記エアマットに設けられた生体情報検出手段を含むペットの状態を監視する監視装置と、酸素濃縮装置からなることを特徴とするペット看護装置。
【請求項４】
ペット用に室内に設置したトレイ状のエアマットと、前記エアマットに設けられた生体情報検出手段を含むペットの状態を監視する監視装置と、濃縮酸素供給手段とからなることを特徴とするペット看護装置であって、
前記生体情報検出手段で検出された生体情報に基づき、濃縮酸素供給手段による濃縮酸素の流量及び／または濃縮酸素濃度を調整すること を特徴とするペット看護装置。
【請求項５】
請求項１〜２のいずれかに記載の温度測定部を有するＩＣタグを備えたペット用洋服。
【発明の詳細な説明】
【技術分野】
【０００１】
本発明は、ペット、特に小型のイヌなどの室内用ペットの座位，横臥等における心拍数、呼吸数、体温等の生体情報（生体データ）を測定し、濃縮酸素を供給するペット看護装置に関する。
【背景技術】
【０００２】
近年、室内でのペット、特に小型のイヌがペットとして飼われるようになっていて、この室内用ペットの寿命が延びている。例えば、イヌの平均寿命は、１９９０年の８．６歳に比べ１１．９歳と３歳も延び、ネコも９．９歳と３倍に延びている。こうした状況で、イヌ，ネコ等のペットの看護、特にターミナルケアの必要性が高まっている。
【０００３】
ターミナルケアには、ペットの生体情報を把握する必要がある。生態情報を得る方法として、センサーモジュールをペットに装着して心拍、心拍変化率を測定し、ペットの生体状態を無線で把握する装置が提案されている（特許文献１）。しかしながら、体温を測定するものでなく、センサー部は電極を含み、必ずペットの皮膚と接触するもので少なからず不快感を与えるものである。
【特許文献１】特開２００４−１３８号公報
【発明の開示】
【発明が解決しようとする課題】
【０００４】
本発明の目的は、ペットに不快感を与えることなく、生体データを利用し、それに基づいて濃縮酸素を供給するペット看護装置を提供することにある。
【課題を解決するための手段】
【０００５】
上記課題を解決するために、本発明のペット看護装置は、ペット用に室内に設置したトレイ状のエアマットと、エアマットに設けられた生体情報検出手段と、ペットに装着された温度測定部を有するＩＣタグと、ＩＣタグの情報を読取る読取り部とを備え、生体データと前記ＩＣタグの温度情報に基づき前記ペットの状態を監視する監視装置と、濃縮酸素供給手段とからなることを特徴とする。また、本発明のペット看護装置は、ペット用に室内に設置したトレイ状のエアマットと、エアマットに設けられた生体情報検出手段と、ペットに装着された温度測定部を有するＩＣタグと、ＩＣタグの情報を読取る読取り部とを備え、生体データとＩＣタグの温度情報に基づき前記ペットの状態を監視する監視装置と、濃縮酸素供給手段とからなることを特徴とするペット看護装置であって、生体情報検出手段で検出された生体情報に基づき、濃縮酸素供給手段による濃縮酸素の流量及び／または濃縮酸素濃度を調整することを特徴とする。また、本発明のペット看護装置はペット用に室内に設置したトレイ状のエアマットと、エアマットに設けられた生体情報検出手段を含むペットの状態を監視する監視装置と、酸素濃縮装置からなることを特徴とする。また、本発明のペット看護装置は、ペット用に室内に設置したトレイ状のエアマットと、エアマットに設けられた生体情報検出手段を含むペットの状態を監視する監視装置と、濃縮酸素供給手段とからなることを特徴とするペット看護装置であって、生体情報検出手段で検出された生体情報に基づき、濃縮酸素供給手段による濃縮酸素の流量及び／または濃縮酸素濃度を調整すること を特徴とする。また、ペット用洋服は、上記ペット看護装置に使用する温度測定部を有するＩＣタグを備えたものである。
【発明の効果】
【０００６】
ペットの生体情報、特に呼吸数など生体情報に応じて適切な濃縮酸素を供給でき、特にペットにとって十分なターミナルケアが行える。
【発明を実施するための最良の形態】
【０００７】
図１は、本発明の一実施例を示す図である。なお、本発明は、実施例に限定されるものではない。図１（ａ）において、ペットＰが飼育されている室内等の部屋で、ペット用に室内に設置した生体データ測定用専用エアマット２を床の上に設置し、コネクタ４ａ、エアチューブ４を経てパソコンなどの機能を有する端末装置５とデータ測定用専用エアマット２とを接続し、生体データ測定用専用エアマット２の圧力変化を端末装置５に伝達できるようにしている。エアチューブがペットＰにより食いちぎられないように、金属細線でエアチューブ４を被覆しておいたり、測定しない場合には、コネクタ４ａを生体データ測定用専用エアマット２から外すようにする。なお、この生体データ測定用専用エアマット２はペットの躾用のトレイも兼用するようにしてもよい。また、重量センサ(不図示)を設けて、就寝時や安静時に体重測定できるようにすれば、ペットの成育のトレンド情報が得られる。また、孔部を有する透明なアクリル等プラスチック製のカバー１０００により、ペットＰを覆うようにして、図1（ｂ）に示す酸素濃縮装置３００から酸素供給孔１０００ａを経て３０〜９０％に濃縮された酸素がプラスチック製のカバー１０００内に1〜５Ｌ／分流れるようにしている。
【０００８】
なお、酸素濃縮装置３００は、図1（ｂ）において示されるように、ＲＡＭ，ＲＯＭ等の記憶部に記憶された制御プログラム、動作の諸条件を読出し、酸素濃縮装置３００全体の制御を行なう制御部（ＣＰＵ）３１０、原料空気から３０〜９０％に酸素を濃縮するための濃縮酸素発生ユニット３１１、３０〜９０％に濃縮された酸素を貯める製品タンク３１２、濃縮流量調整バルブ３１３、流量設定部（不図示）、酸素濃度設定部（不図示）等で構成され、防音性、防振製を考慮して筐体内に実装されている。濃縮酸素発生ユニット３１１、製品タンク３１２、濃縮流量調整バルブ３１３は、エア配管で連通としている。
【０００９】
濃縮酸素発生ユニット３１１は、公知の構成、すなわち、コンプレッサー（空気圧縮手段）、コンプレッサーを冷却するブロア、均圧弁、主に窒素等を吸着するゼオライトを収納する吸着筒、大気開放弁等で構成される。
【００１０】
ペット（小型のイヌ等）Ｐは、通常の状態で生体データ測定用専用エアマット２の上で横臥して就寝する。端末装置５には、圧力変化を検出する圧力センサと、その検出信号を処理して獣医師サイト７へＬＡＮ等専用回線またはインターネット等の情報通信ネットワーク８を介して伝送する制御監視装置、ＩＣタグ読み取り部３４が設けられている。端末装置５と獣医師サイト７の管理用コンピュータ（制御装置）１１とは、情報通信ネットワーク８で、相互に情報が伝送できるようになっている。また、会員サーバー９とも情報通信ネットワーク８で相互に情報が伝送できるようになっている。会員サーバ９では、ペットＰの情報、出産情報などが記憶される。
【００１１】
獣医師サイト７にはサーバー（データ処理装置）９を設置し、ペットのＩＤ（血糖，予防接種履歴等）と関連付けして、ペットＰの生体情報の測定データの収集、集計、データ分析等を行う。また、獣医師１０の机上には管理パソコン１１を設置し、獣医師１０がペットＰの健康状態を把握、監視するとともに、緊急時の被験者異常通報を受けたり、電話器により適宜看護婦の待機部屋に指示を出したり、ハンディナースコールで連絡したりすることができるようになっている。
【００１２】
図２は、生体データ測定用専用エアマット２と端末装置５のブロック図である。圧力がエアチューブ４を介して微差圧センサ２０と絶対圧力センサ２１に入力される。ペットＰの身体に起因する振動がエアマット２に伝達されるので、エアマット２の内部圧力が変化する。微差圧センサ２０は圧力変動分を検出し、また、絶対圧力センサ２１はエアマット２の内部圧力の絶対圧力を検出する。絶対圧力センサ２１はペットＰがエアマット２上にいるかを検出するために設けられている。
【００１３】
微差圧センサ２０としては、例えば、圧力の変化を受ける受圧面と対抗電極との間の静電容量変化を検知して差圧を検出するコンデンサマイクロフォン型差圧計が用いられる。コンデンサマイクロフォン型差圧計はエアマット２内部の微小な圧力変動を検出できる。
【００１４】
微差圧センサ２０の検出信号は監視制御装置３０を構成するゲイン制御部３１に与えられる。ゲイン制御部３１は微差圧センサ２０の検出信号のレベルを所定範囲の信号レベルに調整する。ペットＰの姿勢の種類によってエアマット２に伝わる心拍や呼吸などの振動の強さが異なるために、微差圧センサ２０の出力信号の強度（レベル）が異なる。ゲイン制御部３１は姿勢によって異なる信号レベルを所定レベルの信号になるようにゲインを調整し、心拍フィルタ３２、呼吸フィルタ３３に出力する。また、ゲイン制御部３１のゲイン値が姿勢判別部３６に加えられる。ゲイン制御部３１によって所定レベルに変換された微差圧センサ２０の出力信号を心拍フィルタ３２、呼吸フィルタ３３に加えることにより、これら心拍フィルタ３２、呼吸フィルタ３３から心拍信号、呼吸信号などの被ペットＰ験者６の生体データが得られる。心拍フィルタ３２、呼吸フィルタ３３から得られたペットＰの生体データはＡ／Ｄ変換部３５でデジィタル信号に変換されデータ処理部３７に入力される。
【００１５】
また、ペットＰに装着された洋服２００に装着された温度センサ付きＩＣタグ１００から、温度情報をＩＣタグ読取り部３４で間歇的（例えば１０〜３０分ごと）に読み取る。ＩＣタグ１００の構成は、以下に説明する。
【００１６】
＜ＩＣタグの構成＞
図３において、１０１は、ＩＣタグ読み取り部３４からの信号を受け、ロジック部１１０を所定のフローで動作させるプログラムが記憶され、コンピュータで読取り可能な記憶媒体であるＲＡＭである。１０２はＥＥＰＲＯＭで、温度センサ１０６のそれぞれに対応するオフセット値，温度補正値などが記憶されている。また、体温情報も記憶可能である。なお、ロジック部１１０は、より複雑な処理フローの制御が可能なＣＰＵとしてもよい。温度センサ１０６としては、温度変化に対してほぼリニアにアナログ出力し、小型化・ＩＣタグとの一体化が可能で、３５〜４２℃の間で温度分解能が０．０５℃である、半導体型の温度センサ、例えばＣ−ＭＯＳ温度センサが好ましく用いられるが、サーミスタ型、サーモパイル（熱電対）型でも可能である。
【００１７】
１０３は、ペットＰに設けられた温度測定部を有するＩＣタグ（ＩＲＩＤ）１００の体温情報を取得するための送受信回路、１０３ａはアンテナ、１０４は電源部である。この電源部１０４は、コイルを有するアンテナ部１０３ａを介して、体温情報を読取られる時に温度測定部を有するＩＣタグ１００の各部に電源を供給する。あるいは、小型の電池であってもよい。１０７はＡ／Ｄ変換部であり、温度センサ１０６と発振回路（不図示）で発生した体温信号をＡ／Ｄ変換するものである。ＩＣタグ１００は、アンテナ１０３ａを含めて５ｍｍ×５ｍｍ、厚さ１．５ｍｍ程度の大きさである。なお、ＩＣタグ１００は、生体を通過可能な周波数の電磁波での通信（送受信）可能なものであれば、どのような周波数でもよいが、好ましくは１３．５６ＭＨｚの電磁波で送信可能になっている。間違ったペットＰの情報を取得しないようにしたり、アンテナ１０３ａから出力される信号を暗号化処理可能にしてセキュリティ機能を持たせることができる。
【００１８】
＜生体情報取得の処理フロー＞
図４のフローチャートに基づいて生体情報取得の処理フローの一例を説明する。エアマット２上にペットＰがいる（横臥，仰臥状態）ことを条件に測定を開始する。１０〜６０分毎に、差圧センサ（相対圧センサ）２０と絶対圧力センサ２１で圧力信号を取得（検出）する(ステップＳ１)。取得した圧力信号の特徴により、心拍数、呼吸数等を識別化し、心拍数、呼吸数等を演算する（ステップＳ２）。１回の圧検出時間は、２〜５分程度である。また、体温情報は、１０〜６０分毎に、ＩＣタグ１００にＩＣタグ読取り部３４から１３．５６ＭＨｚの電磁波を送信（送受信距離は、１０ｃｍ〜１ｍ程度）し、その信号と同期して得られる温度センサ１０６の体温情報を読取る（ステップＳ３）。これらの生体情報は、記憶部４４に記憶される(ステップＳ４)。この生体情報は閾値と比較される。例えば、体温の場合、上限値が４２．０℃、下限値が３５．５℃としている。また、心拍は、例えば、上限値が１５０拍／分、下限値が６０拍／分、呼吸数は、例えば、上限値が１００／分、下限値が４０／分としている。なお、ペットの種類、大きさに応じてこれらの閾値（上限値／下限値）は適宜設定変更可能としている。これらの生体情報のうち少なくとも１つの情報が異常と判断されると、アラームを発生させ（ステップＳ６）、管理サイト／医療サイト７の獣医師１０に報知するようにしている。なお、獣医師１０の携帯電話などに報知するようにしてもよい。異常と判断されたペットＰの容体を確認後、リセット（ステップＳ７）する。異常が無い場合は、ステップＳ１に戻り、測定終了の指示入力があるまで生体情報の  測定を繰り返す。測定され、記憶部４４に記憶される生体情報は、平均値、最大値、最小値、最多値を求めて、ペットＰのＩＤとともにそれらのデータも記憶部４４、サーバー９に記憶する。記憶部４４に記憶された、心拍数、呼吸数、体温等の生体情報は、図６に示すように表示部３６にトレンド表示される。表示部３６では、心拍数、呼吸数、体温を同時に１時間（６０分）毎にトレンド表示しているが、このうち１つまたは任意の組合せで表示可能にしてもよい。また、解熱剤などの投薬データをメモ情報として、日時とともに入力部４５で入力しておくことで、表示部３６の生体情報のトレンド表示と併せて表示可能となる。管理サイト／医療サイト７の表示部（不図示）でも同様の表示ができるようになっている。
【００１９】
なお、圧力検出に基づく解析時間（所定時間）は２〜５分間でなく、任意の時間に設定できる。解析時間は１就寝分のデータ解析に都合のよい時間でよく、また、１就寝分でなく、所定の就寝時間内を設定することもできる。システムの規模、解析速度等により最適な条件とする。データ処理部３７は、例えば、ペットＰの健康状態を次のような判断基準に基づき判定する。すなわち、体温、心拍数、呼吸数が予め設定していた健康とされる数値範囲内であれば、健康（異常なし）である。また、所定の数値範囲以外にある時は、アラームを発生し、酸素濃縮装置３００を駆動させ、濃縮酸素を発生させる。飼育者（家族）は、カバー１０００をかぶせ、酸素濃縮装置３００から酸素供給孔１０００ａを経て３０〜９０％に濃縮された酸素がプラスチック製のカバー１０００内に1〜５Ｌ／分流れるようにして、ペットＰの様子（体温、心拍数、呼吸数）を見る。必要に応じて、  酸素濃度、酸素流量を調整する。
【００２０】
次に就寝中の異常監視と緊急通報について説明する。端末装置５のデータ処理部３７は、所定時間（２〜５分間）分の生体データを解析して心拍数、呼吸数等を算出し、また、ＩＣタグからの温度情報から、これらが異常といえる既定値の範囲を越えた場合に体温値異常、心拍数異常、呼吸数異常として表示装置３８へ表示するとともに、緊急通報として管理パソコン１１に通報する。この時も、酸素濃縮装置３００を駆動させ、濃縮酸素を発生させる。飼育者（家族）は、カバー１０００をかぶせ、酸素濃縮装置３００から酸素供給孔１０００ａを経て３０〜９０％に濃縮された酸素がプラスチック製のカバー１０００内に1〜５Ｌ／分流れるようにして、ペットＰの様子（体温、心拍数、呼吸数）を見る。必要に応じて、  酸素濃度、酸素流量を調整する。データ処理部３７は心拍数異常、呼吸数異常として表示装置３８へ表示すると共にブザーを鳴動させるようにする。データ処理部３７は、体動に関しては一定時間以上続くと発作と認識して同様に表示とブザー応答を行い、情報通信ネットワーク８を介して管理サイト／医療サイト７の管理パソコン１１へ通報する。これを受けて管理サイト／医療サイト７の獣医師１０が対処方法を情報通信ネットワーク８や電話、ＦＡＸなどでフィードバックする。なお、端末装置５と携帯電話等と生体情報，アラーム情報の通信をするようにしてもよい。
【図面の簡単な説明】
【００２１】
【図１】本発明の一実施例を示す図である。
【図２】本発明の実施例に係るブロック図である。
【図３】本発明の実施例に係る温度測定部を有するＩＣタグのブロック図である。
【図４】本発明の実施例に係る処理フローを示す図である。
【符号の説明】
【００２２】
２・・・エアマット、４・・・エアチューブ、５・・・端末装置、Ｐ・・・ペット、７・・・管理サイト、８・・・情報通信ネットワーク、９・・・データサーバー、１０・・・獣医師、１００・・・ＩＣタグ、１０１・・・ＲＡＭ、１０２・・・ＥＥＰＲＯＭ、１０３・・・送信受信回路、１０３ａ・・・アンテナ、１０６・・・サーミスタ  ２００・・・ペット用洋服、３００・・・酸素濃縮装置、１０００・・・カバー
【図１】
2007312720.tif 000003
【図２】
2007312720.tif 000004
【図３】
2007312720.tif 000005
【図４】
2007312720.tif 000006